(57)【特許請求の範囲】
【請求項１】
小間隔をおいた無数のフィンプレートに対して多数の水冷管を貫通させた構成のフィンプレート付空気冷却器を、洗浄タンクに収容した洗浄液内に浸漬させた状態で、該洗浄液全体を循環させて、前記フィンプレート付空気冷却器を洗浄する方法であって、
前記洗浄タンクの特定側壁との間に水中ポンプの浸漬配置スペースを確保して、その洗浄液内に前記フィンプレート付空気冷却器を前記特定側壁と略平行に配置し、かつ該洗浄液内における前記フィンプレート付空気冷却器の長手方向の両端部の側方に一対の水中ポンプを、それらの吐出口が対向するように浸漬配置して、
前記一対の水中ポンプから洗浄液を対向状態で吐出させることにより、洗浄タンク内において、前記フィンプレート付空気冷却器を横切る液流を生じさせて、洗浄液全体を循環させることを特徴とするフィンプレート付空気冷却器の洗浄方法。
【請求項２】
フィンプレート付空気冷却器の長手方向の両端部と特定側壁との間に、この部分において水中ポンプの吐出方向と逆方向に洗浄液が流れるのを防止する仕切板を垂直に配置したことを特徴とする請求項１に記載のフィンプレート付空気冷却器の洗浄方法。
【請求項３】
一対の水中ポンプは、それらの吐出口が斜上方を向いて、洗浄液内に浸漬配置されていることを特徴とする請求項１又は２に記載のフィンプレート付空気冷却器の洗浄方法。
【請求項４】
小間隔をおいた無数のフィンプレートに対して多数の水冷管を貫通させた構成のフィンプレート付空気冷却器を洗浄タンクに収容した洗浄液内に浸漬させた状態で、該洗浄液全体を循環させて、前記フィンプレート付空気冷却器を洗浄する方法であって、
前記洗浄タンクの特定側壁との間に所定の隙間を確保して、その洗浄液内に前記フィンプレート付空気冷却器を前記特定側壁と略平行に配置し、
該洗浄液内における前記フィンプレート付空気冷却器の長手方向の両端部の外方に一対の水中ポンプを、それらの吐出口が前記特定側壁に対して略垂直となるように浸漬配置し、かつ、前記フィンプレート付空気冷却器の両側外方に、前記一対の水中ポンプから吐出された洗浄液が逆流することを防止するための仕切板を、前記特定側壁と対向させて垂直に配置し、
前記一対の水中ポンプから洗浄液を前記特定側壁に向けて吐出させることにより、洗浄タンク内において、前記フィンプレート付空気冷却器を横切る液流を生じさせて、洗浄液全体を循環させることを特徴とするフィンプレート付空気冷却器の洗浄方法。
【請求項５】
小間隔をおいた無数のフィンプレートに対して多数の水冷管を貫通させた構成のフィンプレート付空気冷却器を洗浄タンクに収容した洗浄液内に浸漬させた状態で、該洗浄液全体を循環させて、前記フィンプレート付空気冷却器を洗浄する方法であって、
前記洗浄タンクと、その外部に配置した管路とを環状に接続し、該管路に組み込まれたポンプにより、前記洗浄タンクと前記管路との間において、前記洗浄タンクに浸漬されたフィンプレート付空気冷却器を横切るような液流を生じさせて、洗浄液全体を循環させることを特徴とするフィンプレート付空気冷却器の洗浄方法。
【発明の詳細な説明】
【０００１】
【発明の属する技術分野】
本発明は、小間隔をおいて取付けられた無数のフィンプレートに対して多数の水冷管を貫通させた構成のフィンプレート付空気冷却器（以下、単に「空気冷却器」と記載する）の洗浄方法に関するものである。
【０００２】
【従来の技術】
図８に示されるように、空気圧縮機Ｃには、圧縮空気の温度を下げて、その圧縮効率を高めるために空気冷却器Ａが組み込まれている。この空気冷却器Ａの一つとして、小間隔をおいて取付けられた無数のフィンプレート１に対して多数の水冷管２を貫通させた構成のものが使用されており、冷却効果を高めるために、前記フィンプレート１の間隔が狭くなっていると共に、前記水冷管２の配置密度も高くなっている。このため、運転中に、前記フィンプレート１の間にゴミ類が浸入して、該フィンプレート１及び水冷管２の各表面、特にフィンプレート１と水冷管２とが交叉する部分に付着して汚物３（図４参照）となり易い。このため、定期的に空気冷却器Ａを洗浄して、前記汚物３を除去する必要がある。
【０００３】
上記した空気冷却器Ａの一例として、図９ないし図１１に示されるものがある。この空気冷却器Ａは、厚さ０．５〜１ｍｍの方形状のフィンプレート１が２〜３ｍｍの間隔をおいて配置されていると共に、管径が１０〜２０ｍｍの水冷管２を、４０〜５０ｍｍのピッチをおいて通気方向に沿って千鳥配置させて、前記フィンプレート１に貫通させた構成のものである。高温の圧縮空気が通過されるとき、千鳥配置された各水冷管２と接触することにより、熱交換が行われる。図８に示されるように、空気冷却器Ａの両端には、円形の各設置フランジ４が取付けられていて、前記各フランジ４の外方には、冷却水を一時的に貯留するための各貯留水胴５が設けられている。入口側の貯留水胴５の内部は隔壁６で二分されていて、外部から一方側の水冷管２に流入した低温の冷却水が高温の圧縮空気と熱交換され、温度が高くなった状態で他方側の水冷管２から流出される構成になっている。
【０００４】
この空気冷却器Ａの洗浄は、従来、以下の３種類のいずれかで行われていた。図１２に示されるバブリング方法は、洗浄タンクＴに空気冷却器Ａを浸漬させた状態で、エアコンプレッサ（図示せず）等の空気発生源からの空気を、ホース７等を介して前記空気冷却器Ａの下部に導き、該部分から噴出する泡状空気８をフィンプレート１の間に通過させることにより、これに付着した汚物３を除去する方法である。この方法の場合、コンプレッサ等の大型設備が必要である。また、フィンプレート１の間に均一に泡状空気８が流入しないため、洗浄タンクＴに対する空気冷却器Ａの配置を幾度も変える必要がある。更に、泡状の空気８の浮上により生ずる洗浄液Ｗの僅かな流動により汚物３を除去する方法であるため、汚物３の剥離作用が低く、洗浄に長時間を要する。
【０００５】
図１３に示されるシャワリング方法は、空気冷却器Ａの上方から洗浄液Ｗをシャワー状にして吹き付けて洗浄する方法である。この方法で洗浄する場合、洗浄時において、常にシャワリング状態を確認・調整しながら行う必要があり、それでも、洗浄液Ｗの入り込まないフィンプレート１があって、洗浄ムラが大きい。シャワー状の洗浄液Ｗは、洗浄部分のみを見れば、その流量は僅かであって、運動エネルギーが小さく、洗浄能力に乏しい。特に、フィンプレート１の内部（奥部）の洗浄能力に乏しく、洗浄に長時間を要する。
【０００６】
図１４に示される浸漬方法は、洗浄タンクＴに収容した洗浄液Ｗ中に空気冷却器Ａを単に長時間浸漬させて、汚物３をふやけさせて洗浄する方法である。特別の設備が不要な最も原始的な洗浄方法であるが、洗浄に長時間を要し、しかも液流がないために、フィンプレート１間において洗浄液Ｗが滞留して、その部分の洗浄液Ｗが剥離された汚物３の汚れ成分で飽和すると、これ以上の洗浄が不能となって、洗浄効果が乏しい。
【０００７】
【発明が解決しようとする課題】
本発明は、上記した不具合に鑑み、フィンプレート付空気冷却器の洗浄が簡単に、しかも短時間でできるようにすることを課題としている。
【０００８】
【課題を解決するための手段】
上記課題を解決するための請求項１に記載の発明は、小間隔をおいた無数のフィンプレートに対して多数の水冷管を貫通させた構成のフィンプレート付空気冷却器を、洗浄タンクに収容した洗浄液内に浸漬させた状態で、該洗浄液全体を循環させて、前記フィンプレート付空気冷却器を洗浄する方法であって、前記洗浄タンクの特定側壁との間に水中ポンプの浸漬配置スペースを確保して、その洗浄液内に前記フィンプレート付空気冷却器を前記特定側壁と略平行に配置し、かつ該洗浄液内における前記フィンプレート付空気冷却器の長手方向の両端部の側方に一対の水中ポンプを、それらの吐出口が対向するように浸漬配置して、前記一対の水中ポンプから洗浄液を対向状態で吐出させることにより、洗浄タンク内において、前記フィンプレート付空気冷却器を横切る液流を生じさせて、洗浄液全体を循環させることを特徴としている。
【０００９】
洗浄タンクの特定側壁と、該特定側壁との間に所定間隔をおいて、これと略平行となって洗浄液内に浸漬されたフィンプレート付空気冷却器と、該フィンプレート付空気冷却器の長手方向の両端部において、それらの吐出口を対向させて浸漬配置した一対の水中ポンプとで形成される囲繞領域においては、前記一対の水中ポンプから洗浄液が対向吐出されて、前記フィンプレート付空気冷却器の長手方向の中央部において、吐出された各洗浄液が衝突する。この洗浄液の衝突現象によって、前記囲繞領域においては、一対の水中ポンプが浸漬配置された部分から、該囲繞領域の外部に洗浄液が流れにくい状態となってその液量が増す。換言すれば、一対の水中ポンプが浸漬配置された部分においては、それらの吐出方向と逆方向に洗浄液が流れにくい状態となる。
【００１０】
この結果、一対の水中ポンプの作用によって、前記囲繞領域内に洗浄液が吐出されると、その液量が増すために、該囲繞領域内に洗浄液は、フィンプレート付空気冷却器を構成する無数のフィンプレートの間の狭い隙間が排出口のように機能して、該隙間を通ることになって、洗浄タンク内の洗浄液は、フィンプレート付空気冷却器を横切る液流が生じた状態で、前記洗浄タンク内において循環する。フィンプレート付空気冷却器を構成する無数のフィンプレートの間の狭い隙間を洗浄液が、大きな運動エネルギーをもって流動することにより、該フィンプレートは、その外周縁部と内部とが同一の条件でもって洗浄される。即ち、洗浄液は、大きな運動エネルギーを有して流動するために、フィンプレート等に付着した汚物の剥離作用が高まると共に、洗浄液が常に流動しているために、洗浄に使用された液内に汚れ成分が含まれることになっても、洗浄液全体に均一に分散されて、洗浄液におけるフィンプレート付空気冷却器に接している部分のみの汚れ成分の濃度が高まって、飽和状態（洗浄作用が発揮できなくなる状態）にはならない。よって、従来方法では、洗浄困難であったフィンプレートの内部表面、及び該部分に配置された水冷管の表面が効果的に洗浄される。
【００１１】
また、請求項２に記載の発明は、請求項１に記載の発明を前提として、フィンプレート付空気冷却器の長手方向の両端部と特定側壁との間に、この部分において水中ポンプの吐出方向と逆方向に洗浄液が流れるのを防止する仕切板が垂直に配置されている。このため、前記仕切板の存在により、一対の水中ポンプの部分において、前記囲繞領域から外部に流れる洗浄液量を減少させられる。この結果、洗浄タンク内の洗浄液の循環流量が多くなって、フィンプレート付空気冷却器の洗浄効果が高められる。
【００１２】
更に、請求項３に記載の発明は、請求項１又は２に記載の発明を前提として、一対の水中ポンプの吐出口が斜上方を向いて、洗浄液内に浸漬配置されている。このため、各水中ポンプからの洗浄液の吐出方向が斜上方となって、洗浄液の深さ方向に沿った広い範囲において、各水中ポンプからの吐出洗浄液が衝突し易くなり、前記囲繞領域におけるフィンプレート付空気冷却器の長手方向の中央部付近において、渦流が生じにくくなる。この結果、洗浄タンク内の洗浄液の循環流量が多くなって、フィンプレート付空気冷却器の洗浄効果が一層高められる。
【００１３】
請求項４に記載の発明は、小間隔をおいた無数のフィンプレートに対して多数の水冷管を貫通させた構成のフィンプレート付空気冷却器を洗浄タンクに収容した洗浄液内に浸漬させた状態で、該洗浄液全体を循環させて、前記フィンプレート付空気冷却器を洗浄する方法であって、前記洗浄タンクの特定側壁との間に所定の隙間を確保して、その洗浄液内に前記フィンプレート付空気冷却器を前記特定側壁と略平行に配置し、該洗浄液内における前記フィンプレート付空気冷却器の長手方向の両端部の外方に一対の水中ポンプを、それらの吐出口が前記特定側壁に対して略垂直となるように浸漬配置し、かつ、前記フィンプレート付空気冷却器の両側外方に、前記一対の水中ポンプから吐出された洗浄液が逆流することを防止するための仕切板を、前記特定側壁と対向させて垂直に配置し、前記一対の水中ポンプから洗浄液を前記特定側壁に向けて吐出させることにより、洗浄タンク内において、前記フィンプレート付空気冷却器を横切る液流を生じさせて、洗浄液全体を循環させることを特徴としている。
【００１４】
洗浄タンクが比較的小さくて、一対の水中ポンプの各吐出口を対向配置できない場合に有効である。この構成では、洗浄タンクの特定側壁と、これに平行に洗浄液内に浸漬配置されたフィンプレート付空気冷却器と、該フィンプレート付空気冷却器の長手方向の両側の外方に、前記特定側壁と対向配置された仕切板とによって囲繞領域が形成される。
【００１５】
請求項５に記載の発明は、小間隔をおいた無数のフィンプレートに対して多数の水冷管を貫通させた構成のフィンプレート付空気冷却器を洗浄タンクに収容した洗浄液内に浸漬させた状態で、該洗浄液全体を循環させて、前記フィンプレート付空気冷却器を洗浄する方法であって、前記洗浄タンクと、その外部に配置した管路とを環状に接続し、該管路に組み込まれたポンプにより、前記洗浄タンクと前記管路との間において、前記洗浄タンクに浸漬されたフィンプレート付空気冷却器を横切るような液流を生じさせて、洗浄液全体を循環させることを特徴としている。
【００１６】
洗浄タンクと、その外部に配置された管路とが環状に接続されていて、前記管路には、前記洗浄タンクと前記管路との間で洗浄液を循環させるためのポンプが組み込まれている。洗浄タンク内に浸漬配置されたフィンプレート付空気冷却器は、外部に設置されたポンプにより生じた一方向の液流を、フィンプレート付空気冷却器のフィンプレートの部分を横切らせて流動させる。この発明では、１個の洗浄タンクに、複数本のフィンプレート付空気冷却器を浸漬配置させることができるため、一度に複数本のフィンプレート付空気冷却器の洗浄が可能である。また、ポンプの保守、点検等が容易である。
【００１７】
【発明の実施の形態】
以下、実施例を挙げて本発明を更に詳細に説明する。最初に、請求項１に記載の発明の実施例について説明する。なお、従来の技術で説明した部材と同一の部材には同一の符号を付し、重複説明を避けて本発明の特徴部分についてのみ説明する。図１は洗浄タンクＴに、空気冷却器Ａと一対の水中ポンプ９とを浸漬配置させた状態の平面図、図２は図１のＸ1 −Ｘ1 線断面図、図３は図１のＸ2 −Ｘ2 線断面図、図４はフィンプレート１と水冷管２との交叉部分に付着した汚物３が剥離される状態を示す図である。本発明の実施例の洗浄方法を使用して空気冷却器Ａを洗浄するためには、図１及び図２に示されるように、該空気冷却器Ａを浸漬状態で設置することができる程度の大きさの洗浄タンクＴと、該洗浄タンクＴに収容された洗浄液Ｗに２種類の液流Ｖ1,Ｖ2 を生じさせるために、前記洗浄液Ｗ内に浸漬される一対の水中ポンプ９と、前記一対の水中ポンプ９から吐出された洗浄液Ｗが逆流することを防止するための各仕切板１１とを必要とする。そして、一対の水中ポンプ９から吐出された洗浄液Ｗを衝突させることによって、空気冷却器Ａのフィンプレート１を流出する２種類の液流Ｖ1,Ｖ2 を生じさせ、前記洗浄タンクＴ内で洗浄液Ｗを循環させることによって、空気冷却器Ａを洗浄させる。
【００１８】
図１ないし図３に示されるように、洗浄タンクＴは、方形状の床板１２の周縁部に、第１及び第２の各側壁１２a,１２b が立設された箱状であり、所定量の洗浄液Ｗが収容されている。本実施例の場合、空気冷却器Ａを、この洗浄タンクＴの奥行き方向の中央部よりも少し奥側で、しかも、その長手方向が前記第１側壁１２ａと略平行にして設置する。こうすることにより、空気冷却器Ａの正面側には、囲繞領域Ｒ0 （後述）が形成される。また、洗浄タンクＴ内で、空気冷却器Ａの後方と両側外方は、連通状態で開放されていて、それぞれ後述する第１開放領域Ｒ1 と第２開放領域Ｒ2 とが形成される。
【００１９】
次に、一対の仕切板１１を設置する。一対の仕切板１１は、空気冷却器Ａの各設置フランジ４の外側に接する状態で配置する。一対の仕切板１１は、一対の水中ポンプ９から吐出された洗浄液Ｗが逆流することを防止するために設置されるものであり、その高さは、洗浄タンクＴに収容された洗浄液Ｗの液面よりも高い。一対の仕切板１１は、前記洗浄液Ｗの逆流をより効果的に防止するため、洗浄タンクＴの第１側壁１２ａに対してほぼ垂直に設置する。上記した結果、洗浄タンクＴの内側は、空気冷却器Ａのフィンプレート１と、手前側の第１側壁１２ａ、及び各仕切板１１とによって形成される囲繞領域Ｒ0 と、それ以外の開放領域（第１開放領域Ｒ1 と第２開放領域Ｒ2 ）とに仕切られている。ここで、第１開放領域Ｒ1 は、空気冷却器Ａのフィンプレート１と、洗浄タンクＴの奥側の第１側壁１２ａとで形成される領域であり、第２開放領域Ｒ2 は、空気冷却器Ａの各設置フランジ４と、洗浄タンクＴの両側の第２側壁１２ｂとで形成される２つの領域である。
【００２０】
続いて、前記第２開放領域Ｒ2 の手前側に、一対の水中ポンプ９を吊り下げ状態で、洗浄液Ｗ内に浸漬配置する。各水中ポンプ９の吸込口９ａを、洗浄タンクＴの第２開放領域Ｒ2 の床板１２に近接して配置すると共に、それらの吐出口９ｂを、対応する仕切板１１に設けられた貫通孔１１ａから囲繞領域Ｒ0 の側に突出させた状態で配置する。また、一対の水中ポンプ９は、洗浄タンクＴの手前側の第１側壁１２ａと略平行な同一直線上に、相対向させた状態で配置する。洗浄タンクＴを構成する第２側壁１２ｂの上面には、吊下げ支持棒１３が橋渡し状態で設置されていて、この吊下げ支持棒１３において、一対の水中ポンプ９及び一対の仕切板１１と対応する位置には、それぞれ吊下げロープ１４，１５が取付けられている。一対の水中ポンプ９を、前記吊下げロープ１４により、各吐出口９ｂを斜上方に向けた状態で設置する。こうすることにより、水中ポンプ９から吐出される洗浄液Ｗが衝突される際に渦流（後述）が形成されにくくなり、空気冷却器Ａの洗浄が効率的に行われる。また、各吊下げロープ１４の長さを調整することにより、各吐出口９ｂの設置角度を調整することができ、渦流を、より形成させにくくすることができる。更に、一対の仕切板１１も、吊下げロープ１５により、吊下げ支持棒１３に支持されているため、安定状態で設置されている。
【００２１】
本発明に係る洗浄方法を使用して、空気冷却器Ａを洗浄する場合の作用について説明する。図１ないし図３に示されるように、所定量の洗浄液Ｗが収容された洗浄タンクＴ内に、洗浄を行う空気冷却器Ａを浸漬配置させる。このとき、空気冷却器Ａの長手方向を洗浄タンクＴの長手方向に沿わせて設置する。また、空気冷却器Ａの正面側に所定の大きさの囲繞領域Ｒ0 を形成させるため、該空気冷却器Ａを、平面視における洗浄タンクＴの長手方向のほぼ中央部で、該洗浄タンクＴの奥側の第１側壁１２ａよりに設置する。このとき、前記洗浄タンクＴに収容される洗浄液Ｗの液面は、空気冷却器Ａを構成する無数のフィンプレート１の僅かに上方に位置されている。こうすることにより、空気冷却器Ａの洗浄に寄与しない洗浄液Ｗの量を最小限にすることができる。続いて、一対の仕切板１１を設置して、洗浄タンクＴ内を、囲繞領域Ｒ0 と第１開放領域Ｒ1 とに仕切る。そして、一対の水中ポンプ９を吊下げ状態で浸漬配置させる。一対の水中ポンプ９の各吐出口９ｂは、前記一対の仕切板１１に設けられた貫通孔１１ａを貫通させて、囲繞領域Ｒ0 の側に配置させる。
【００２２】
この状態で、一対の水中ポンプ９を作動させる。各第２開放領域Ｒ2 に収容されている洗浄液Ｗが吸い込まれ、各吐出口９ｂから吐出される。一対の水中ポンプ９は、同一直線上に対向配置されているため、各吐出口９ｂから吐出された洗浄液Ｗは、囲繞領域Ｒ0 における空気冷却器Ａの長手方向のほぼ中央部で、しかも、高さ方向の中央部よりも少し高い位置（洗浄液Ｗどうしの衝突による渦流が、最も形成されにくい位置）で衝突する。
【００２３】
洗浄タンクＴ内における空気冷却器Ａの正面側には、該空気冷却器Ａのフィンプレート１と、手前側の第１側壁１２ａと、一対の仕切板１１とによって囲繞領域Ｒ0 が形成されている。このため、囲繞領域Ｒ0 においては、各水中ポンプ９から洗浄液Ｗが吐出され、しかも、各仕切板１１の部分においては、前記洗浄液Ｗの吐出方向と逆方向に洗浄液Ｗが流れにくい状態となってその液量が増す。換言すれば、囲繞領域Ｒ0 と、第１及び第２の各開放領域Ｒ1,Ｒ2 との間に、液位差が生じようとする。
【００２４】
ここで、空気冷却器Ａを構成する無数のフィンプレート１の間の狭い隙間が、洗浄液Ｗの排出口のように機能するため、前記洗浄液Ｗはフィンプレート１どうしの間に流入する。そして、図１に示されるように、洗浄タンクＴ内の洗浄液Ｗは、空気冷却器Ａを横切って、第１開放領域Ｒ1 から第２開放領域Ｒ2 へと向かう２種類の液流Ｖ1,Ｖ2 となって前記洗浄タンクＴ内において、互いに逆回りに循環する。このようにして、洗浄液Ｗが、空気冷却器Ａを構成する無数のフィンプレート１の間の狭い隙間を大きな運動エネルギーを有して流動するため、該フィンプレート１は、その外周縁部と内部とが同一の条件でもって洗浄される。即ち、図４に示されるように、大きな運動エネルギーを有して流動する洗浄液Ｗは、フィンプレート１、或いは水冷管２に付着した汚物３に、衝撃力をもって衝突する。しかも、各水冷管２は、図１０に示されるように、千鳥状に取付けられているため、洗浄液Ｗは、いずれかの水冷管２と必ず衝突しながら流動する。この衝突により、フィンプレート１、或いは水冷管２と汚物３との間の付着力が低下し、該汚物３は、フィンプレート１等から剥離される。図４において、汚物３が剥離される状態を二点鎖線で示す。しかも、該洗浄液Ｗは、常に洗浄タンクＴ内を循環しているために、洗浄に使用された液内に汚物３の汚れ成分が含まれることになっても、洗浄液Ｗ全体に均一に分散される。この結果、洗浄液Ｗにおける空気冷却器Ａに接している部分のみの汚れ成分の濃度が高まって、飽和状態（洗浄作用が発揮できなくなる状態）にはなることはない。このようにして、従来方法では、洗浄困難であったフィンプレート１の内部表面、及び該部分に配置された水冷管２の表面が、短時間で効果的に洗浄される。
【００２５】
しかも、本実施例の場合、同一直線上に対向配置された一対の水中ポンプ９の吐出口９ｂは、それぞれ斜上方に向けられていて、各吐出口９ｂから吐出された洗浄液Ｗは、囲繞領域Ｒ0 における空気冷却器Ａの長手方向のほぼ中央部で、しかも、高さ方向の中央部よりも少し上方の部分において衝突する。このため、洗浄タンクＴの深さ方向に沿った広い範囲において、各水中ポンプ９から吐出される洗浄液Ｗが衝突し易くなって、前記囲繞領域Ｒ0 における空気冷却器Ａの長手方向の中央部付近において、渦流が生じにくくなる。この結果、洗浄タンクＴ内の洗浄液Ｗの循環流量が多くなって、空気冷却器Ａの洗浄効果が一層高められ、より短時間で洗浄可能である。
【００２６】
上記した実施例は、洗浄タンクＴ内における空気冷却器Ａの正面側の部分が一対の仕切板１１によって仕切られていて、更に、対向配置された一対の水中ポンプ９の各吐出口９ｂが斜上方に向けられている場合である。２枚の仕切板１１を設置したことにより、囲繞領域Ｒ0 と第１開放領域Ｒ1 とが確実に仕切られ、一対の水中ポンプ９から吐出された洗浄液Ｗが逆流することが防止されるため、空気冷却器Ａのフィンプレート１の部分を横切る２種類の液流Ｖ1,Ｖ2 の流量を、前記仕切板１１が取付けられていない場合に比べて大きくすることができる。しかし、前記仕切板１１が設置されていなくても構わない。この場合、空気冷却器Ａ、手前側の第１側壁１２ａ、及び一対の水中ポンプ９自身によって囲繞領域Ｒ0 が形成されるため、上記した実施例と同一の効果が奏される。また、一対の水中ポンプ９の吐出口９ｂを、ほぼ水平に対向配置させても構わない。
【００２７】
次に、請求項４に記載の発明の実施例について説明する。この実施例は、洗浄タンクＴ’が小さくて、空気冷却器Ａの正面側に一対の水中ポンプ９を対向配置させることが困難である場合に有効である。図５及び図６に示されるように、第１実施例の場合と同様に、所定量の洗浄液Ｗを収容した洗浄タンクＴ’の幅方向のほぼ中央部で、奥側の第１側壁１６ａに近接した位置に空気冷却器Ａを浸漬配置させる。そして、一対の仕切板１７を、各設置フランジ４の前方で、第１側壁１６ａと略平行になるように設置する。空気冷却器Ａのフィンプレート１、洗浄タンクＴ’の手前側の第１側壁１６ａ、及び一対の仕切板１７とによって囲繞領域Ｒ0 が形成されると共に、空気冷却器Ａの後方、及び側方に、第１及び第２の各開放領域Ｒ1,Ｒ2 が形成される。続いて、一対の水中ポンプ９を、吊下げ支持棒１８に取付けられた吊下げロープ１９に、吊り下げ状態で浸漬配置する。一対の水中ポンプ９における各吸込口９ａは、それぞれ第２開放領域Ｒ2 に配置されており、各吐出口９ｂの部分は、仕切板１７を貫通してそれぞれ囲繞領域Ｒ0 に突出した水平状態で配置されている。なお、図６において、２１は、一対の仕切板１７を支持するための吊下げロープである。
【００２８】
一対の水中ポンプ９を作動させると、各第２開放領域Ｒ2 に収容されている洗浄液Ｗが吸い込まれ、各水中ポンプ９の吐出口９ｂから囲繞領域Ｒ0 に吐出される。最初の実施例の場合と同様に、囲繞領域Ｒ0 内の洗浄液Ｗが流れにくくなり、その液量が増す。すると、該囲繞領域Ｒ0 から、空気冷却器Ａのフィンプレート１の部分を横切って流動する２種類の液流Ｖ1,Ｖ2 が生じ、洗浄タンクＴ’内を、互いに逆回りに循環する。この結果、フィンプレート１、或いは水冷管２に付着した汚物３が剥離される。
【００２９】
次に、請求項５に記載の発明の実施例について説明する。所定量の洗浄液Ｗが収容された洗浄タンクＴ”内に複数本（この実施例の場合、３本）の空気冷却器Ａを、所定間隔をおいた並列状態で浸漬配置する。そして、該洗浄タンクＴ”の正面側と背面側とを管（送り込み管２２と吸い込み管２３）で環状に接続し、その途中にポンプ２４を組み込む。前記送り込み管２２及び前記吸い込み管２３における洗浄タンクＴ”との接続部分は、洗浄液Ｗの液流Ｖ3 を空気冷却器Ａの全体に流動させるため、三叉に分岐されている。
【００３０】
前記ポンプ２４を作動させる。該ポンプ２４が、洗浄タンクＴ”内の洗浄液Ｗを吸い込むと共に、吸い込んだ洗浄液Ｗを洗浄タンクＴ”内に送り込む。前記洗浄液Ｗは、洗浄タンクＴ”内と前記各管２２，２３との間で循環する。このため、洗浄タンクＴ”内には、その手前側から各空気冷却器Ａを横切って奥側まで流出される一方向の液流Ｖ3 が発生し、該液流Ｖ3 によって、各空気冷却器Ａのフィンプレート１、或いは水冷管２に付着した汚物３が剥離される。しかも、洗浄タンクＴ”内の洗浄液Ｗは、ポンプ２４を介して常に循環されているため、洗浄液Ｗにおいて、空気冷却器Ａに接している部分のみの汚れ成分の濃度が高まって、飽和状態になることはない。上記した結果、複数本の空気冷却器Ａの洗浄を、一度に、しかも、短時間で行うことができる。
【００３１】
上記した実施例は、１個の洗浄タンクＴ”に３本の空気冷却器Ａが並列配置された場合である。しかし、１個の洗浄タンクＴ”に１本の空気冷却器Ａが配置されている構成のもの、或いは、複数個の洗浄タンクＴ”に、それぞれ１ないし複数本の空気冷却器Ａが並列配置されている構成のものであっても構わない。
【００３２】
【発明の効果】
請求項１ないし３のいずれかに記載の発明は、洗浄タンクの特定側壁と略平行に配置された空気冷却器の長手方向の両端部の側方に、吐出口を対向させて一対の水中ポンプを浸漬配置させ、前記一対の水中ポンプから洗浄液を対向状態で吐出させることにより、空気冷却器を横切る液流を生じさせて、循環させている。このため、洗浄液は、従来の洗浄方法と比較して、大きな運動エネルギーを有した状態で流動し、空気冷却器のフィンプレート等に付着した汚物を剥離する。また、洗浄液が常に循環されているため、前記汚物の汚れ成分が滞留することがなく、洗浄能力が低下することはない。上記した結果、空気冷却器の洗浄を、簡単に、しかも短時間で行うことができる。
【００３３】
請求項４に記載の発明の場合、一対の水中ポンプは、空気冷却器の長手方向の側方で、それらの軸心を、洗浄タンクの特定側壁と略垂直となるようにして浸漬配置されている。このため、一対の水中ポンプの各吐出口から吐出された洗浄液は、前記特定側壁と衝突することにより、空気冷却器を横切る液流が生じて、循環する。上記した結果、空気冷却器の洗浄を、簡単に、しかも短時間で行うことができる。この発明は、洗浄タンクが比較的小さくて、一対の水中ポンプを対向配置することが困難な場合に有効である。
【００３４】
請求項５に記載の発明の場合、洗浄タンクと、その外部に配置された管路とが環状に接続されている。このため、空気冷却器が複数本であっても、それらの洗浄を一度に、しかも、短時間で行うことができる。また、ポンプの保守、点検等が容易である。
【図面の簡単な説明】
【図１】洗浄タンクＴに、空気冷却器Ａと一対の水中ポンプ９とを浸漬配置させた状態の平面図である。
【図２】図１のＸ1 −Ｘ1 線断面図である。
【図３】図１のＸ2 −Ｘ2 線断面図である。
【図４】フィンプレート１と水冷管２との交叉部分に付着した汚物３が剥離される状態を示す図である。
【図５】小容量の洗浄タンクＴ’に、空気冷却器Ａと一対の水中ポンプ９とを浸漬配置させた状態の平面図である。
【図６】図５のＹ−Ｙ線断面図である。
【図７】洗浄タンクＴ”に、複数本の空気冷却器Ａを並列に浸漬配置させた状態の平面図である。
【図８】空気圧縮機Ｃに装着された空気冷却器Ａの正面断面図である。
【図９】空気冷却器Ａの斜視図である。
【図１０】図８のＺ−Ｚ線断面図である。
【図１１】同一の部位の斜視図である。
【図１２】空気冷却器Ａを洗浄するためのバブリング方法を示す図である。
【図１３】同じくシャワリング方法を示す図である。
【図１４】同じく浸漬方法を示す図である。
【符号の説明】
Ａ：空気冷却器
Ｒ0 ：囲繞領域（浸漬配置スペース）
Ｒ2 ：第２開放領域（浸漬配置スペース）
Ｔ，Ｔ',Ｔ”：洗浄タンク
Ｖ1,Ｖ2,Ｖ3 ：液流
Ｗ：洗浄液
１：フィンプレート
２：水冷管
３：汚物
９：水中ポンプ
９ｂ：吐出口
１１，１７：仕切板
１２a,１６a ：第１側壁（特定側壁）
２４：ポンプ
【図１】
0003727524.tif 000002
【図２】
0003727524.tif 000003
【図３】
0003727524.tif 000004
【図４】
0003727524.tif 000005
【図５】
0003727524.tif 000006
【図６】
0003727524.tif 000007
【図７】
0003727524.tif 000008
【図８】
0003727524.tif 000009
【図９】
0003727524.tif 000010
【図１０】
0003727524.tif 000011
【図１１】
0003727524.tif 000012
【図１２】
0003727524.tif 000013
【図１３】
0003727524.tif 000014
【図１４】
0003727524.tif 000015